(57)【要約】【課題】使用者の用途に応じて、容易に使用できるスチームミスト噴出装置を備えた洗面化粧台を提供する。【解決手段】スチームミストを噴き出す装置を備えた洗面化粧台であって、該スチームミスト噴出装置Ｍは、ミスト噴出ヘッド１とミスト送通管３と洗面キャビネットに内蔵されたミスト発生部２とからなり、上記ミスト噴出ヘッド１とミスト発生部２とは出し入れ自在、かつ、フレキシブルなミスト送通管３で連結されるとともに、上記ミスト噴出ヘッド１はミスト調整用の操作部１１を備え、洗面カウンター５には、上記ミスト噴出ヘッド１を挿脱自在に受ける受け部４が設けられる。【選択図】図３
2007054238.tif 000002
【特許請求の範囲】
【請求項１】
スチームミストを噴き出す装置を備えた洗面化粧台であって、該スチームミスト噴出装置は、ミスト噴出ヘッドとミスト送通管と洗面キャビネットに内蔵されたミスト発生部とからなり、上記ミスト噴出ヘッドとミスト発生部とは出し入れ自在、かつ、フレキシブルなミスト送通管で連結されるとともに、上記ミスト噴出ヘッドはミスト調整用の操作部を備え、洗面カウンターには、上記ミスト噴出ヘッドを挿脱自在に受ける受け部が設けられた洗面化粧台。
【請求項２】
上記ミスト調整用の操作部は、ミストの噴霧状態をスプレイ状ないしは棒状に変えることができる請求項１に記載の洗面化粧台。
【請求項３】
上記ミストの粒径が０．１〜１μｍとされた請求項２に記載の洗面化粧台。
【発明の詳細な説明】
【技術分野】
【０００１】
本発明は、洗面化粧台に関する。さらに詳しくは、スチームミストを噴出する装置を備えた洗面化粧台に関する。
【背景技術】
【０００２】
近年、スチームを吹き出す機能を備えた洗面化粧台が提案され、下記特許文献１には、ミラーキャビネットにスチーム吹き出し口を備えた洗面台装置が開示されている。すなわち、本願図４に示すように、洗面台装置Ｂに内蔵された図示しないスチーム発生装置で発生したスチームはミラーキャビネット６に設けられたスチーム吹き出し口７から吹き出すようにされている。吹き出したスチームは、風邪の予防や喉の荒れを防ぐために吸入され、あるいは、髪をセットする際、毛髪を濡らしたり、肌を潤して美顔用とする等の用途に用いられる。
【特許文献１】特開平９−４６２号公報（第１〜３頁、第１２図、第１４図）
【発明の開示】
【発明が解決しようとする課題】
【０００３】
しかしながら、上記特許文献１に記載の洗面台装置においては、ミスト吹き出し口がミラーキャビネットに固定されているため、ミストを吸入したり、髪や顔に当てるには、使用者が適切に体勢を変えなければならず、使い勝手が悪いという問題がある。また、用途に応じてミストの粒径を調整したり、スチームの噴霧量や噴霧状態を変える等、スチーム自体の持つ作用、効果を十分に発揮させるものとはいえない。本発明は、このような問題を解決するためになされたものであり、毛髪の手入れや美顔用に、また、喉や皮膚を潤す効果のあるスチームミストを使用者が用途に応じて、容易に使用できるようにした洗面化粧台を提供することを、その課題とする。
【課題を解決するための手段】
【０００４】
上記課題を解決するために、本発明においては、つぎのような技術的手段を講じている。すなわち、請求項１に記載の発明によれば、スチームミストを噴き出す装置を備えた洗面化粧台であって、該スチームミスト噴出装置は、ミスト噴出ヘッドとミスト送通管と洗面キャビネットに内蔵されたミスト発生部とからなり、上記ミスト噴出ヘッドとミスト発生部とは出し入れ自在、かつ、フレキシブルなミスト送通管で連結されるとともに、上記ミスト噴出ヘッドはミスト調整用の操作部を備え、洗面カウンターには、上記ミスト噴出ヘッドを挿脱自在に受ける受け部が設けられた洗面化粧台が提供される。
【０００５】
請求項２に記載の洗面化粧台は、請求項１に記載の発明に加えて、上記ミスト噴出ヘッドがミスト調整用の操作部を備えるとともに、この操作部を手元で回転させる等により、ミストの噴霧量、噴霧状態等を変化させ、スプレイ状ないしは棒状のミストを噴出させることができる。
【０００６】
請求項３に記載の洗面化粧台は、請求項２に記載の発明に加えて、上記ミストの粒径が０．１〜１μｍとされることが好ましい。
【発明の効果】
【０００７】
請求項１に記載の発明にかかる洗面化粧台は上記のとおりであり、ミスト噴出ヘッドとミスト送通管と洗面キャビネットに内蔵されたミスト発生部とからなるスチームミスト噴出装置を備え、上記ミスト噴出ヘッドとミスト発生部とは出し入れ自在、かつ、フレキシブルなミスト送通管で連結されるとともに、上記ミスト噴出ヘッドはミスト調整用の操作部を備えているため、無理な体勢をとることなく、使用者は鏡を見ながら使用目的に応じてミストを噴出させ、使い勝手よく毛髪や皮膚に当てたり、吸入することができる。
【０００８】
請求項２に記載の洗面化粧台は上記のとおりであり、請求項１の洗面化粧台の有する効果に加え、ミスト調整用の操作部は、ミストの噴霧状態をスプレイ状ないしは棒状に変えることができるため、ミストを吸入したり、髪の毛を濡らしたり、肌を潤す等の目的に応じて、手元でミストの噴霧状態をスプレイ状、棒状、あるいはスプレイ状と棒状との中間の状態等に種々変えることができる。
【０００９】
請求項３に記載の洗面化粧台は上記のとおりであり、請求項２の洗面化粧台の有する効果に加え、上記ミストの粒径が０．１〜１μｍとされているため、ミスト噴霧量および噴霧状態を上記種々の用途に最も適したものとすることができる。
【発明を実施するための最良の形態】
【００１０】
以下、本発明の実施形態について図面を参照して、詳細に説明する。図１は、本発明にかかる洗面化粧台Ａを示す正面図であり、図２は、上記洗面化粧台Ａの要部を示す部分断面側面図である。図１、図２に示されているように、洗面化粧台Ａはミスト噴出ヘッド１とミスト発生部２とミスト送通管３とからなるスチームミスト噴出装置Ｍを備えており、ミスト噴出ヘッド１と洗面キャビネット内に設けられたミスト発生部２とは出し入れ自在、かつ、フレキシブルなミスト送通管３によって連結されている。上記スチームミスト噴出装置Ｍを使用しないときは、ミスト噴出ヘッド１は洗面化粧台Ａの洗面カウンターに５に設けられた受け部４に収められている。また、上記ミスト噴出ヘッド１はミスト調整用の操作部１１を備え、先端はミスト噴出口１２とされている。
【００１１】
図３は、図２に示された洗面化粧台Ａのミスト送通管３を引き出した状態を示す部分断面側面図である。図３に示されているように、上記受け部４に収められたミスト噴出ヘッド１を使用する場合、使用者はフレキシブルなミスト送通管３を所望の位置に引き出してミスト噴出口１２からミストを噴出させる。例えば、使用者が、髪の毛をセットしたい場合、自分の好みの長さにミスト送通管３を引き出し、ミスト噴出ヘッド１のミスト噴出口１２からミストを噴出させ、髪に当てることができる。したがって、無理な体勢をとることなく、使い勝手よく髪の毛の手入れをすることができる。
【００１２】
さらに、ミスト調整用の操作部１１を手元で操作することにより、ミストの噴霧状態を使用者の所望に応じて調整することができる。例えば、風邪の予防や喉の荒れを防ぐためにミストを吸入する場合は、ミストを喉の奥深く到達するように棒状とし、また、髪の毛を濡らしたり、肌を潤す等の場合は、ミストをスプレイ状にして髪や肌になじみ易いようにすることができる。このように、手元でミストの噴霧状態をスプレイ状、棒状、あるいはスプレイ状と棒状との中間等、容易に変えることができるため、使用者は目的に応じて本発明の洗面化粧台Ａの鏡を見ながら、使い勝手よく、スチームミスト噴出装置Ｍを使用することができる。
【図面の簡単な説明】
【００１３】
【図１】本発明にかかる洗面化粧台を示す正面図である。
【図２】本発明にかかる洗面化粧台の要部を示す部分断面側面図である。
【図３】図２に示す洗面化粧台のミスト送通管を引き出した状態を示す部分断面側面図である。
【図４】公知の洗面台装置を示す斜視図である。
【符号の説明】
【００１４】
Ａ          本発明にかかる洗面化粧台
Ｍ          スチームミスト噴出装置
１          ミスト噴出ヘッド
１１        操作部
１２        ミスト噴出口
２          ミスト発生部
３          ミスト送通管
４          受け部
５          洗面カウンター
Ｂ          公知の洗面台装置
６          ミラーキャビネット
７          ミスト吹き出し口
【図１】
2007054238.tif 000003
【図２】
2007054238.tif 000004
【図３】
2007054238.tif 000005
【図４】
2007054238.tif 000006